(57)【特許請求の範囲】
【請求項１】
第１ユニットと、第２ユニットを電気的に接続するために、前記第１ユニットを構成するプリント基板に固定され、第２ユニットを押し当てたときに弾性変形し得る弾性を備えた導電性の接続端子の固定構造において、
前記接続端子の基部は前記プリント基板の裏面にハンダ付けされ、
前記接続端子の基部の端部に曲成された鉤部は、前記プリント基板に設けられた差し込み孔に前記プリント基板の裏面から差し込まれて、該差し込み孔の表側かつ当該プリント基板の表面に当接して係止され、
前記接続端子の先部は前記第２ユニットを押し当てたとき弾性変形するとともに、
第２ユニットの電極に当接して電気的に接続するべく形成され、
前記接続端子の基部のハンダ付けされた部分と先部との間の一部分を前記プリント基板の縁部に接触させることによって、前記第２ユニットを押し当てた時に受ける弾性変形を抑制するべく保持されていて、
前記第２ユニットを押し当てた時に生じる力を前記鉤部が前記プリント基板の表面に接する部分で受けることを特徴とする接続端子の固定構造。
【発明の詳細な説明】
【０００１】
【発明の属する技術分野】
本発明は、電気的な接触を確実にするために用いられる弾性を備えた導電性の接続端子の固定構造に関するものである。
【０００２】
【従来の技術】
従来より、携帯用の電子機器等においては、電池パックを装着して使用される形態が多い。そのような電子機器における電池パックとの電気的接続部分の一例を図２に示して説明する。
図２において、電子機器側の電源端子101は電子機器のプリント基板102にハンダ付けされている。前記電源端子101は弾性を備えた導電性の線材を、電池パック側の電極と確実に接触するような所定形状に成形して構成されている。
そして、電池パック110が装着されると、前記電源端子101は電池パック110の電極に当接した状態でさらに押圧されて、２点鎖線で示したようにハンダ付け部分から先が弾性変形する。
このような状態によって、電池パックの電極と電源端子とは確実に電気的に接続されるのである。
【０００３】
【発明が解決しようとする課題】
ところが、図２に示したように固定された電源端子の場合には、電池パックが装着される度にハンダ付け部分にストレスがかかり、ハンダに亀裂が生じたりして接触不良等のトラブルの原因となっていた。
また、前記電源端子を基板にハンダ付けする時、仮止めが難しく、何らかの治具を必要とする場合があった。
図２の場合におけるハンダ付け部分へのストレスを回避するために、例えば、電源端子をビスで基板に固定する等の対策が講じられる場合があるが、その場合には、ビス等の別部品が必要となりコストと手間がかかるという問題がある。
。
【０００４】
そこで、本発明は、電源端子のハンダ付けされた部分へのストレスがかかり難い構造の電源端子の接続構造を提案することを目的としてなされたものである。
【０００５】
【課題を解決するための手段】
本発明にかかる接続端子の固定構造においては、
第１ユニットと、第２ユニットを電気的に接続するために、前記第１ユニットを構成するプリント基板に固定され、第２ユニットを押し当てたときに弾性変形し得る弾性を備えた導電性の接続端子の固定構造において、
前記接続端子の基部は前記プリント基板の裏面にハンダ付けされ、
前記接続端子の基部の端部に曲成された鉤部は、前記プリント基板に設けられた差し込み孔に前記プリント基板の裏面から差し込まれて、該差し込み孔の表側かつ当該プリント基板の表面に当接して係止され、
前記接続端子の先部は前記第２ユニットを押し当てたとき弾性変形するとともに、
第２ユニットの電極に当接して電気的に接続するべく形成され、
前記接続端子の基部のハンダ付けされた部分と先部との間の一部分を前記プリント基板の縁部に接触させることによって、前記第２ユニットを押し当てた時に受ける弾性変形を抑制するべく保持されていて、
前記第２ユニットを押し当てた時に生じる力を前記鉤部が前記プリント基板の表面に接する部分で受ける構造とした。
【０００６】
なお、前記接続端子は電源供給のための端子でも、信号伝達のための端子でもよい。
また、変形抑制構造は、外力を受ける先部と、固定された基部の間であれば、どこに配設してもよい。
【０００７】
【発明の実施の形態】
以下に、本発明にかかる接続端子の固定構造を、その実施の形態を示した図面に基づいて詳細に説明する。
【０００８】
図１は、前記実施形態にかかる接続端子の固定構造を備えた携帯電子機器の要部の断面図である。
図１において、
１は携帯電子機器であり、２は該携帯電子機器１のプリント基板３に固定された接続端子である。この接続端子２はプラス電極用とマイナス電極用とで一対設けられているが、両方ともほぼ同一構造であるため、その一方のみを図示して、他方は図示及び説明を省略した。
【０００９】
前記接続端子２は弾性を備えた導電性の線材もしくは板材、具体的には金属製の線状バネもしくは金属製の板バネで形成されている。前記接続端子２の基部２１はプリント基板３の裏面Ｂに形成された配線パターンの一部にハンダ付けされて固定されている。
接続端子２の基部２１の端部に曲成された鉤部２１０は、プリント基板３に設けられた差し込み孔３１に差し込まれて、該差し込み孔３１の表側Ａに係止されている。そして、接続端子２の先部２２は図示した形状に曲成され、前記プリント基板３の表面Ａ側に弾性変形可能に配設されている。
【００１０】
前記携帯電子機器１に電池パック５が装着されると、電池パック５の電極は前記接続端子２に押し当てられる。従って、接続端子２は２点鎖線で示した状態に弾性変形する。
このとき、前記接続端子２の基部２１はプリント基板３の裏面Ｂにハンダ付けされているとともに、その端部の鉤部２１０はプリント基板の差し込み孔３１に差し込まれて係止されているので、プリント基板３から剥がれ落ちる等のトラブルは発生しない。特に、電池パックによって加えられた力によって生じる接続端子２の回転モーメントは、端部においては矢印で示したように時計回り方向となるが、このような回転モーメントは、差し込み孔３１に係止されている鉤部２１０によって受け止められるので、接続端子２を回転させることにはならない。従って、ハンダ付けされた基部２１へのストレスは殆ど発生しない。
【００１１】
そして、電池パック５の装着によって前記先部２２に加えられた力は、接続端子２とプリント基板３の縁部３２との接触部位Ｃから先の部分を弾性変形させるが、上述した構造によって、前記接触部位Ｃから基部側へのストレスは減少する。即ち、接続端子２に加えられた外力は前記接触部位Ｃで受け止められることにより、基部２１側へは外力がそのままは伝わらないように構成されているのである。
従って、前記接触部位Ｃから基部側へ位置しているハンダ付けされた基部２１に加えられるストレスは少なくなり、ハンダに亀裂が生じたりすることが防止できる。
よって、接触不良等のトラブルの発生を防ぎ、信頼性の高い電気的接触が可能となるのである。
このような信頼性の高い電気的接触によって電池パック５から供給される電気エネルギーが携帯電子機器１の各部に供給されるのである。
【００１２】
そして、電池パック５を取り外す時には、接続端子２は弾性復元力によって実線で示した状態に復元するのである。
このときも、ハンダ付けされた基部２１に大きなストレスは発生しない。
【００１３】
以上のように、ハンダ付けされた部分と、外力を受ける部分とを分離させたので、電池パック５の装着によるストレスがハンダ付けされた基部へ伝わりにくくしたので、ハンダに亀裂が生じたりすることが防止できるのである。
また、接続端子２の基部２１に鉤部２１０を形成するともに、プリント基板３には差し込み孔３１を設けたので、接続端子２の取り付けにあたって、接続端子２をプリント基板３に仮止する場合には、前記鉤部２１０を前記差し込み孔３１に差し込むことによって、簡単に仮止が可能になった。従って、接続端子２のプリント基板３への取り付け作業も容易になった。
【００１４】
なお、以上の実施形態においては、携帯電子機器１は特許請求の範囲の第１ユニットに対応し、電池パック５は第２ユニットに対応している。
【００１５】
なお、以上の実施形態においては、前記接続端子は、携帯電子機器側に設けたが、電池パック側に設けてもよい。また、電池パックとの電気的接触部分に限らず、電気信号を伝達する電気的接触部分に設けてもよい。
【００１６】
【発明の効果】
本発明によれば、第１ユニットと、第２ユニットを電気的に接続するために、前記第１ユニットのプリント基板に固定され、第２ユニットを押し当てたときに弾性変形し得る弾性を備えた導電性の接続端子の固定構造において、前記接続端子の基部は前記プリント基板の裏面にハンダ付けされ、前記接続端子の基部の端部に曲成された鉤部は、前記プリント基板に設けられた差し込み孔に差し込まれて、該差し込み孔の表側に係止され、前記第２ユニットを押し当てた時に受ける回転モーメントを受け止めるように構成したので、前記第２ユニットを押し当てた時に受ける、前記接続端子の基部のハンダ付けされた部分へのストレスが減少し、ハンダの亀裂等のトラブルが発生しにくくなった。
また、前記接続端子の基部と先部との間の一部分は、前記プリント基板の縁部に接触させることによって、前記第２ユニットを押し当てた時に受ける弾性変形を抑制するべく保持されているので、前記接触部位から基部側へのストレスは減少し、基部におけるハンダに亀裂が生じたりすることが防止できる。
従って、接続端子における接触不良を防ぎ信頼性を向上させることができるのである。また、ビス等の部品を使用することなく、上記効果が得られるので、低コストで信頼性の高い接続端子の固定構造を実現できる。
【図面の簡単な説明】
【図１】本発明にかかる接続端子の固定構造の実施の形態の構成を示した要部断面図である。
【図２】従来例の接続端子の固定構造の断面図である。
【符号の説明】
１ 携帯電子機器（第１ユニット）
２ 接続端子
２１ 接続端子の基部
２１０ 鉤部
２２ 接続端子の先部
３ プリント基板
３１ 差し込み孔
３２ 縁部
５ 電池パック（第２ユニット）
Ｃ 接触部位
【図１】
0003901451.tif 000002
【図２】
0003901451.tif 000003